(57)【要約】      （修正有）【課題】意匠の制約を発生しにくく、冷却性能を悪化させにくい警音構造を提供する。【解決手段】車両１０の前部には、フロントバンパ１１とフロントグリル１２を備える。フロントグリル１２にはエンブレム２１が取り付けられる。エンブレム２１の意匠面２１ａの反対側には、ホーン２２のバイブレータ部２３が配置される。エンブレム２１にはロゴ部と比べ相対的に目立ちにくい部分に孔２５が形成され、バイブレータ部２３が発生する音は孔２５を通り抜けて車両１０の前方へ伝播する。この構成により、エンブレム２１に孔２５があけられていることが分かりにくいため、意匠への影響を発生させにくい。また、法規で定められた音圧を満たしつつ、ホーン２２を冷却部品１６へ冷却風を供給するための開口を遮るように配置しないことから、冷却性能を悪化させにくい。【選択図】図１
2019069660.tif 000002
【特許請求の範囲】
【請求項１】
電流の印加によって振動し音を発するバイブレータ部を備えた警音器と、
意匠面を備え車両に取り付けられることで前記意匠面が前記車両の外装の一部を構成するエンブレムと、を有した警音構造において、
前記バイブレータ部は前記エンブレムの前記意匠面の反対面に対向するように配置され、
前記エンブレムは、前記バイブレータ部が発する音を伝播する開口部を備えることを特徴とする警音構造。
【発明の詳細な説明】
【技術分野】
【０００１】
本発明は、警音構造に関するものである。
【背景技術】
【０００２】
自動車に用いられる警音器は、車両前部に取り付けられ、車両の前方へ警告音を発生する。警音器から発生された警告音は、車両の前方において、法律で定められた音圧を満たすことが求められる。警音器を備えた従来の車両の警音構造は、警告音を発生する警音器のバイブレータ部を、音の伝播方向に遮るものの無い箇所であるバンパの開口部に配置することで、法律で定められた音圧を満たした警告音を発生していた。
【０００３】
バンパの開口部における車両後方側には、ラジエータ等の冷却部品が配置されており、開口部は、開口部から流入する空気を冷却部品に供給することで冷却部品を冷却させるために設けられている。バンパの開口部に警音器を配置するにあたり、音圧を確保するために、警音器を冷却部品よりも車両前方側に配置すると、開口部の有効面積が小さくなり、開口部から流入する空気量が減るため、冷却部品の冷却性能が悪化するという問題がある。
【０００４】
そこで特許文献１では、冷却部品の冷却性能を悪化させないよう、バンパにフィンを備えて構成されるホーン取り付け部が枠状に開設され、警音器としてのホーンがホーン取り付け部に配置された構成が開示されている。この構成では、開口部の開口面積が小さくなることがなく、空気の流入が遮られないため、冷却効果が低減されないとともに、音圧低下を抑えることができる。
【先行技術文献】
【特許文献】
【０００５】
【特許文献１】特開２００１−２８７５８８号公報
【発明の概要】
【発明が解決しようとする課題】
【０００６】
しかしながら、特許文献１の構成では、バンパに新たに警音器を取り付けるための穴を開設し、バンパにフィンを設ける必要がある。そのため、車両の意匠を含むバンパの設計の自由度が低くなるとともに、部品点数が増加する虞がある。そのため、警音器が発する警告音を伝播するための構造を検討する必要がある。
【０００７】
本発明は、上記課題を解決するためになされたものであり、その目的は、意匠の制約を発生させにくく、冷却性能を悪化させにくい警音構造を提供することである。
【課題を解決するための手段】
【０００８】
上記問題点を解決するために、本発明の警音構造は、電流の印加によって振動し音を発するバイブレータ部を備えた警音器と意匠面を備え車両に取り付けられることで前記意匠面が前記車両の外装の一部を構成するエンブレムと、を有している。そして、前記バイブレータ部は前記エンブレムの前記意匠面の反対面に対向するように配置され、前記エンブレムは、前記バイブレータ部が発する音を伝播する開口部を備えることを特徴とする。
【０００９】
車両の意匠を構成し車両に取り付けられるエンブレムの意匠面の反対側に、警音器のバイブレータ部が配置され、エンブレムには開口部を設ける構成により、開口部によって生じる意匠の制約は発生しにくい。また、冷却部品に空気を供給するための開口部に、警音器を配置しないことから、空気の流入が遮られないため、冷却性能を悪化させにくい。また、車両に通常配置されるエンブレムを利用して警音器からの警告音を伝播させるため、部品点数が増えることがない。
【発明の効果】
【００１０】
本発明によれば、意匠の制約を発生させにくく、冷却性能を悪化させにくい警音構造を提供できる。
【図面の簡単な説明】
【００１１】
【図１】（Ａ）は警音器が取り付けられた車両前部の断面図であり、（Ｂ）は警音器付近の要部拡大図。
【図２】は本発明でのエンブレムに係る構造図。
【図３】は別例でのエンブレムに係る構造図。
【発明を実施するための形態】
【００１２】
以下、発明の実施形態に係る警音構造について、図１〜３を用いて説明する。明細書中で述べる車両の前後とは、車両の走行方向に沿った方向であり、車両の左右方向とは、車両の走行方向に対して直交する方向であり、車両の上下方向とは、車両の高さ方向のことである。
【００１３】
図１（Ａ）に示すように、車両１０の前部は、フロントバンパ１１とフロントバンパ１１の上方且つエンジンフード前端の下方に配置されるフロントグリル１２とを備えている。フロントバンパ１１やフロントグリル１２は車両１０の前部の意匠を構成し、フロントバンパ１１の下部にはロアグリル１３が設けられている。フロントグリル１２およびロアグリル１３は車外とエンジンルーム１４とを連通させる開口を有しており、開口を通してエンジンルーム１４内に空気を流入させることができる。また、エンジンルーム１４にはエンジン１５が備えられており、エンジン１５の前方には、冷却部品１６が配置されている。
【００１４】
冷却部品１６は、フロントグリル１２およびロアグリル１３の開口の後方に配置されており、フロントグリル１２およびロアグリル１３の開口から流入した空気が冷却部品１６に供給されるようになっている。車両１０の走行時には、フロントグリル１２およびロアグリル１３の開口からエンジンルーム１４にかけて流れる走行風によって、エンジン１５および冷却部品１６が冷却される。冷却部品１６は、ラジエータやエアコンコンデンサであり、上部がアッパーコアサポート１７によって支持される。アッパーコアサポート１７はフロントグリル１２の後方に配置される。
【００１５】
図１（Ｂ）に示すように、フロントグリル１２には、エンブレム２１が取り付けられている。エンジンルーム１４内において、エンブレム２１の後方には、警音器としてのホーン２２が取り付けられている。エンブレム２１は、車両１０の意匠を構成する部品で、ブランドの識別マークや、車種固有の識別マークが標示されている。なお、図１では、エンジン１５や冷却部品１６、アッパーコアサポート１７、ホーン２２における断面のハッチングを省略して記載している。
【００１６】
図２に示すように、エンブレム２１はブランドの識別マークや、車種固有の識別マークとしてのロゴ部３０を備えている。また、ロゴ部３０の周辺には、開口部としての孔２５が設けられている。よって、エンブレム２１はロゴ部３０のまわりが抜き取られるように孔２５が形成されている。近年の一般的な車両では、ロゴ部３０はめっき等の加飾処理がされており、ロゴ部３０の周辺は、つやのない黒色処理がなされていることが多い。本実施例では、ロゴ部３０の周辺のロゴ部３０と比べ相対的に目立ちにくい部分に孔２５を設けている。孔２５があけられた部分は、光が当たっても影ができやすく、一般的な車両と同様に、黒色に見えやすい。
【００１７】
図１（Ｂ）に示すように、ホーン２２は、筐体２６と、筐体２６に設けられ電流の印加によって振動し音が発生するバイブレータ部２３と、筐体２６に設けられ車両１０に取り付ける部分を備えた取り付け部２４とを備えている。ホーン２２はこれら以外にも各種の構成を具備しているが、本実施例において説明しない他の構成については、公知の車両用ホーンと同様の構成を採用することができるため、ここでの詳細な説明は省略する。
【００１８】
ホーン２２は、エンブレム２１の意匠面２１ａの反対側に対しバイブレータ部２３が対向するように、取り付け部２４がアッパーコアサポート１７の前端に取り付けられている。また、ホーン２２がアッパーコアサポート１７に取り付けられた状態では、バイブレータ部２３が車両１０前方に向かうように配置されている。なお、ホーン２２の取り付けられている個数は１個に限定されず、２個以上取り付けられていてもよい。
【００１９】
次に、本実施形態に係る警音構造の作用について説明する。
運転者がステアリング（図示せず）に取り付けられたスイッチ（図示せず）を押すと、ホーン２２を動作させる電気回路（図示せず）に電流が流れ、バイブレータ部２３が振動する。バイブレータ部２３が振動するとバイブレータ部２３より警告音が発生し、車両１０の前方に警告音が伝播する。ここで、警告音は、フロントグリル１２の開口およびエンブレム２１に設けられた孔２５を通り抜けることができるため、遮られることなく車両１０の前方に伝播する。この構成を設計する段階で、穴の大きさおよびホーンの性能を検討することにより、法律で定められた音圧を満たすことができる。
【００２０】
上記の実施形態によって、次のような効果を得ることができる。
（１）本発明では、車両１０の外装の意匠を構成し、車両１０に取り付けられるエンブレム２１の意匠面２１ａの反対側に、ホーン２２のバイブレータ部２３を設けてある。また、エンブレム２１には孔２５が形成され、バイブレータ部２３で発生する音は孔２５を通り抜けて車両１０の前方へ伝播する。この構成により、法規で定められた警告音の音圧を満たすことができる。また、ホーン２２を冷却部品１６へ冷却風を供給するための開口を遮るように配置しないことから、冷却部品１６の冷却性能を悪化させにくい。また、通常車両１０の前部に設置されるエンブレム２１の裏側にホーン２２を配置するため、フロントバンパ１１やフロントグリル１２にホーン２１専用の取り付けスペースや警告音伝播用の開口を設ける場合に比べ、フロントバンパ１１やフロントグリル１２の設計に自由度を持たせることができる。また、通常車両１０に取り付けられるエンブレム２１を利用するため、部品点数を増加させることがない。
【００２１】
（２）エンブレム２１に備えられているロゴ部３０の周辺には、開口部としての孔２５が設けられている。ロゴ部３０の周辺は、ロゴ部３０と比べ相対的に目立ちにくい部分であり、光が当たっても影ができやすく、黒色に見えやすいため、近年の一般的な車両１０に取り付けられるエンブレムと同様に見える。この構成により、車両１０を見る人は、エンブレム２１に孔２５があけられていることが分かりにくいため、意匠への影響を発生させにくい。
【００２２】
なお、上記実施形態は以下のように変更してもよい。
【００２３】
○実施形態では、車両１０前部に取り付けられた警音器として、ホーン２２について示したが、警告音を発生するものであればホーン２２に限らず適用してもよい。また、警音器の取り付け位置は車両１０の前部に限らない。たとえば、警音器として、車両１０を後退させるときに警告音を発生する後退ブザーを用いてもよい。この場合、車両１０の後方に配置されるエンブレム２１に孔２５を設け、エンブレム２１の意匠面２１ａの反対側に対向するように後退ブザーを配置すればよい。
【００２４】
○実施形態では、エンブレム２１に記載されるロゴ部３０はブランドおよび車種固有の識別マークの例を示したが、図３に示すように、文字部３１のような、文字によって表現されていてもよい。図３では、ゴシック体のアルファベットである「Ｔ」、「Ｚ」、「Ｓ」を並べている例を示している。
【００２５】
○実施形態では、バンパ１１とフロントグリル１２とを別体の部品として例示したが、フロントグリル１２がバンパ１１と一体になって形成されているものに本発明を適用していてもよい。その場合、バンパ１１にはロアグリル１３とは別に、エンブレム２１の孔２５が車外とエンジンルーム１４とを連通させるための開口を別途備える。
【００２６】
○実施形態では、開口部としての孔２５が単一の開口として例示したが、小孔を複数設けて形成されてもよい。また、孔２５の有効面積の大きさは、ホーン２１の性能に応じて、適宜変更してもよい。
【００２７】
○実施形態では、フロントグリル１２とエンブレム２１とを別体の部品として例示したが、フロントグリル１２とエンブレムとが一体になって形成されているものに本発明を適用してもよい。
【符号の説明】
【００２８】
１０…車両、２１…エンブレム、２１ａ…意匠面、２２…警音器としてのホーン、２３…バイブレータ部、２５…開口部としての孔
【図１】
2019069660.tif 000003
【図２】
2019069660.tif 000004
【図３】
2019069660.tif 000005